(57)【要約】      （修正有） 【課題】測定者が一人で被測定対象物の直径を容易に測定することができる直径測定用巻尺を提供する。【解決手段】被計測物である柱状体の直径を測定するための直径測定巻尺であって、巻尺本体の一端部に固定された係合部１３と、上記巻尺本体の他端部側に、上記被計測物の大きさに応じて巻尺本体が移動しうるように配設され、上記被計測物の直径を測定しうる計測部１２とを備え、上記計測部は、巻尺本体のスケール目盛を読み取りうる目盛読取部と、上記係合部に係止しうる係止部１６とを有する。【選択図】図３
0003174479.tif 000002
【実用新案登録請求の範囲】
【請求項１】
被計測物である柱状体の直径を測定するための直径測定巻尺であって、巻尺本体の一端部に固定された係合部と、上記巻尺本体の他端部側に、上記被計測物の大きさに応じて巻尺本体が移動しうるように配設され、上記被計測物の直径を測定しうる計測部とを備え、
上記計測部は、巻尺本体のスケール目盛を読み取りうる目盛読取部と、上記係合部に係止しうる係止部とを有することを特徴とする直径測定巻尺。
【請求項２】
上記計測部は、巻尺本体を反転させて巻き返すことができる巻き返し部と、上記巻き返し部において巻き返された巻尺本体を押圧することにより固定できると共に、巻尺本体の幅方向に沿って配置されスケール目盛を指示しうる固定指示部とを備えていることを特徴とする請求項１記載の直径測定巻尺。
【請求項３】
上記計測部は、全体長方形枠状の本体部と、上記本体部に連設された巻尺本体ガイド部とを備え、
上記係止部は上記本体部の先端部に形成され、上記巻き返し部は上記本体部の長さ方向中央に形成され、上記固定指示部は、上記本体部の長さ方向後端部に形成され、上記巻尺本体ガイド部は、上記本体部の後端部において幅方向両側に後方に向かって延設されていることを特徴とする請求項２記載の直径測定巻尺。
【請求項４】
上記係合部には、上記係合部を被測定対象物に固定しうる固定手段が設けられていることを特徴とする請求項１記載の直径測定巻尺。
【請求項５】
上記固定手段は、上記係合部の先端部に、巻尺本体の長さ方向に沿って配置した状態で被計測物に係合すると共に、上記巻尺本体の裏面側方向へ回動可能に設けられていることを特徴とする請求項４記載の直径測定巻尺。
【請求項６】
上記係合部は、枠状に形成されていると共に、上記固定手段は板状に形成されて上記枠状係合部の先端部に取り付けられた固定手段本体と、上記固定手段本体の裏面側に設けられた係合爪とを有していることを特徴とする請求項５記載の直径測定巻尺。
【考案の詳細な説明】
【技術分野】
【０００１】
本考案は、直径測定巻尺の改良に関する。
【背景技術】
【０００２】
一般に、立木等の直径を測定するための直径測定用巻尺が使用されている。
このような従来の直径測定用巻尺としては、特許文献１に開示されたものがある。このような従来の直径測定用巻尺は、収納ケース内に収納された巻尺本体の先端部に引っ掛け具が取り付けられている。
【０００３】
しかしながら、このような直径測定用巻尺を使用する場合には、上記引っ掛け具を測定対象物に設けられた何らかの凸部に引っ掛けて使用することが必要であり、凸部が形成されていない場合には、測定時には、測定者以外の人間の手等により上記先端部を被測定対象物に固定しておく必要があり、一人の測定者のみでは測定作業を行うことができない場合が多かった。
【０００４】
その結果、特許文献１に開示された直径測定用巻尺にあっては、一人の測定者により測定対象物の直径を測定することは不可能で、直径測定に複数の作業者を要することとなり、計測作業が煩雑である、という不具合が存していた。
【特許文献１】実用新案登録第３１２４０８号公報
【考案の開示】
【考案が解決しようとする課題】
【０００５】
本考案はこのような従来からの不具合を解決するためのものであって、その課題は、測定者が一人で被測定対象物の直径を容易に測定することができる直径測定用巻尺を提供することにある。
【課題を解決するための手段】
【０００６】
上記課題達成のため、請求項１記載の考案にあっては、被計測物である柱状体の直径を測定するための直径測定巻尺であって、巻尺本体の一端部に固定された係合部と、上記巻尺本体の他端部側に、上記被計測物の大きさに応じて巻尺本体が移動しうるように配設され、上記被計測物の直径を測定しうる計測部とを備え、上記計測部は、巻尺本体のスケール目盛を読み取りうる目盛読取部と、上記係合部に係止しうる係止部とを有することを特徴とする。
【０００７】
従って、請求項１記載の考案にあっては、上記係合部に上記計測部の係止部を係止させて、上記計測部の目盛読取部により巻尺本体のスケール目盛を読み取ることにより被計測物の直径を計測することができる。
【０００８】
請求項２記載の考案にあっては、上記計測部は、巻尺本体を反転させて巻き返すことができる巻き返し部と、上記巻き返し部において巻き返された巻尺本体を押圧することにより固定できると共に、巻尺本体の幅方向に沿って配置されスケール目盛を指示しうる固定指示部とを備えていることを特徴とする。
【０００９】
請求項２記載の考案にあっては、使用者は上記固定指示部により巻尺本体を巻き返して固定できると共に、スケール目盛を読み取ることができる。
【００１０】
請求項３記載の考案にあっては、上記計測部は、全体長方形枠状の本体部と、上記本体部に長さ方向に沿って連設された巻尺本体ガイド部とを備え、上記係止部は上記本体部の先端部に形成され、上記巻き返し部は上記本体部の長さ方向中央に形成され、上記固定指示部は、上記本体部の長さ方向後端部に形成され、上記巻尺本体ガイド部は、上記本体部の後端部において幅方向両側に後方に向かって延設されていることを特徴とする。
【００１１】
請求項４記載の考案にあっては、上記係合部には、上記係合部を被測定対象物に固定しうる固定手段が設けられていることを特徴とする。
【００１２】
従って、請求項４記載の考案にあっては、使用者は被測定対象物に上記固定手段を利用して固定し計測することができる。
【００１３】
請求項５記載の考案にあっては、上記固定手段は、上記係合部の先端部に、巻尺本体の長さ方向に沿って配置した状態で被計測物に係合すると共に、上記巻尺本体の裏面側方向へ回動可能に設けられていることを特徴とする。
【００１４】
請求項６記載の考案にあっては、上記係合部は、枠状に形成されていると共に、上記固定手段は板状に形成されて上記枠状係合部の先端部に取り付けられた固定手段本体と、上記固定手段本体の裏面側に設けられた係合爪とを有していることを特徴とする。
【考案の効果】
【００１５】
請求項１〜６記載の考案にあっては、上記巻尺本体の係合部に上記計測部の係止部を係止させて、上記計測部の目盛読取部により巻尺本体のスケール目盛を読み取ることにより被計測物の直径を計測することができることから、測定者が一人で被測定物の直径を測定することができる直径測定用巻尺を提供するこができる。
【００１６】
請求項４記載の考案にあっては、使用者は被測定対象物に上記固定手段を利用して、被計測対象物に、巻尺本体の係合部を固定させて計測することができることから、請求項１記載の考案の効果に加えて、より計測作業を容易に行うことができる直径測定用巻尺を提供することができる。
【図面の簡単な説明】
【００１７】
【図１】本考案に係る直径測定用巻尺の一実施の形態を示し、計測部と係合部とが接続されていない状態を示す部分平面図である。
【図２】本考案に係る直径測定用巻尺の一実施の形態を示し、計測部と係合部とが接続されていない状態を示す部分側面図である。
【図３】本考案に係る直径測定用巻尺の一実施の形態を示し、計測部と係合部とが接続された状態を示す部分平面図である。
【図４】本考案に係る直径測定用巻尺の一実施の形態を示し、計測部を示す図１の4―4線断面図である。
【図５】本考案に係る直径測定用巻尺の一実施の形態を示し、計測部を示す図１の4―4線相当断面図である。
【図６】本考案に係る直径測定用巻尺の一実施の形態を示し、係合部の固定手段を操作している状態を示す写真である。
【図７】本考案に係る直径測定用巻尺の一実施の形態を示し、係合部の固定手段の固定片部裏面側の係合爪を利用して被計測物である樹に固定している状態を示す写真である。
【図８】本考案に係る直径測定用巻尺の一実施の形態を示し、被計測物である樹に固定した係合部に計測部を係合させた状態を示す写真である。
【図９】本考案に係る直径測定用巻尺の一実施の形態を示し、立木の直径を計測するために、立木に巻きつけて固定した状態を示す写真である。巻尺本体の他端部を操作して計測する状態を示す写真である。
【図１０】本考案に係る直径測定用巻尺の一実施の形態を示し、立木の直径を計測するために、立木に巻きつけて固定した状態を示す写真である。巻尺本体の他端部を操作して計測を行っている状態を示す写真である。
【考案を実施するための最良の形態】
【００１８】
以下、添付図面に示す実施の形態に基づき、本考案を詳細に説明する。
図１に示すように、本実施の形態に係る直径測定用巻尺１０は、上記巻尺本体１１の一端部２５に固定された係合部１３と、巻尺本体１１の他端部側に、被計測物の大きさに応じて巻尺本体１１が移動しうるように配設され、上記被計測物の直径を測定しうる計測部１２とを備えている。
【００１９】
上記計測部１２は、巻尺本体１１のスケール目盛１４を読み取りうる目盛読取部１５と、上記係合部１３に係止しうる係止部１６とを有している。
【００２０】
図１乃至図５に示すように、上記計測部１２は、巻尺本体１１を反転させて巻き返すことができる巻き返し部１７と、上記巻き返し部１７において巻き返された巻尺本体１１を押圧することにより固定できると共に、巻尺本体１１の幅方向に沿って配置されスケール目盛１４を指示しうる固定指示部１８とを備えている。
【００２１】
図１に示すように、上記計測部１２は、全体長方形枠状の本体部１９と、上記本体部１９に連設された巻尺本体ガイド部２０、２０とを備えている。上記本体部１９は、内部に巻尺本体１１を配置しうる幅寸法に形成され、長さ方向に沿って幅方向両端部に上記巻尺本体ガイド部２０、２０が、上記本体部１９の後端部において幅方向両側に後方に向かって延設されている。
【００２２】
図１及び図２に示すように、上記係止部１６は上記本体部１９の先端部に形成され、下面部へ向かって突出する側面略Ｊ字状の係合片からなる。また、図４及び図５に示すように、上記巻き返し部１７は上記本体部１９の長さ方向中央に幅方向に沿うと共に、本体部１９の厚さ方向上端部に形成されている。
一方、上記固定指示部１８は、上記本体部１９の長さ方向後端部に幅方向に沿うと共に、本体部１９の厚さ方向の下端部に形成されている。
【００２３】
図１及び図２に示すように、上記係合部１３は、平面略長方形状の枠体により形成された係合部本体２２と、係合部本体２２の先端部に回動可能に設けられ、上記係合部１３を被測定対象物に固定しうる固定手段２１とからなる。
【００２４】
図３に示すように、上記固定手段２１は係合部本体２２の先端部に上下方向に回動可能に配設された板状部材からなり、固定片部２３と、固定片部２３の裏面側に突設された係合爪２４とからなる。
【００２５】
以下、本実施の形態に係る直径測定用巻尺１０の作用について説明する。
図１及び図２に示すように、本実施の形態に係る直径測定用巻尺１０にあっては、巻尺本体１１の一端部２５は係合部１３に固定されていると共に、他端部２６は、上記計測部１３の巻き返し部１７の上面部から下面部に亘って掛け回されて、先端部は自由端として配置されている。
【００２６】
この場合、図４及び図５に示すように、巻尺本体１１の他端部２６は上記巻き返し部１７の上部から下部にかけて掛け回されていることから、使用者が計測部１２の本体部１９を巻き返し部１７を中心に、図中下方に回動させた場合には、巻尺本体１１は固定指示部１８により下方に押圧されて、巻き返し部１７との間で固定されるように構成されている。
【００２７】
従って、本実施の形態に係る直径測定用巻尺１０を使用して立木等の被計測物２７を計測擦る場合には、まず、図６に示すように、上記係合部１３の固定手段２１を回動させて係合部本体２２と略直角にし、図７に示すように、固定片部２３の先端部を被計測物２７に当接させ、巻尺本体１１を引くことにより、被計測物２７に係合爪２４を被計測物２７へ突き刺して固定する。これにより巻尺本体１１の一端部２５を被計測物２７に固定することができる。
【００２８】
その後、図８に示すように、計測部１２を係合部１３へ係合させ、その後、図５及び図９に示すように、巻き返し部１７を回動中心として巻尺本体ガイド部２０側を図面上方へ上げるように回動させる。これにより巻尺本体１１への上記固定指示部１８の押圧は解除されることから、巻尺本体１１は折り返し部１７を介してスライドさせることができるため、被計測物２７の太さに適合させて巻尺本体１１を被計測物２７へ巻きつけることができる。
【００２９】
この状態で、計測者は、固定指示部１９が指し示すスケール目盛１４の数値を読み取ることにより被計測物２７の直径を計測することができる。従って、本実施の形態に係る直径測定用巻尺１０にあっては、計測者は、単独で、他人の援助を必要とすることなく、被計測物２７の直径測定作業を行うことができる。
【産業上の利用可能性】
【００３０】
本考案に係る直径測定用巻尺は、広く被計測物の直径の測定に使用することができるため、産業上の利用可能性を有している。
【符号の説明】
【００３１】
１０  直径測定用巻尺
１１  巻尺本体
１２  計測部
１３  係合部
１４  スケール目盛
１５  目盛読取部
１６  係止部
１７  巻き返し部
１８  固定指示部
１９  本体部
２０  巻尺本体ガイド部
２１  固定手段
２２  係合部本体
２３  固定片部
２４  係合爪
２５  一端部
２６  他端部
２７  被計測物
【図１】
0003174479.tif 000003
【図２】
0003174479.tif 000004
【図３】
0003174479.tif 000005
【図４】
0003174479.tif 000006
【図５】
0003174479.tif 000007
【図６】
0003174479.tif 000008
【図７】
0003174479.tif 000009
【図８】
0003174479.tif 000010
【図９】
0003174479.tif 000011
【図１０】
0003174479.tif 000012